(57)【要約】【課題】  測定ＳＩＲ値のばらつきがある場合において、ＳＩＲ値のばらつきの影響を軽減して同期判定を行うことが可能な同期判定回路を提供する。【解決手段】  ＳＩＲ平均部３はパラメータ記憶部２からの送信再開用ＳＩＲ平均化数で指定されたＭｉｎフレーム分平均された送信再開用ＳＩＲ平均値をＱｉｎカウンタ４に出力し、パラメータ記憶部２からの送信停止用ＳＩＲ平均化数で指定されたＭｏｕｔフレーム分平均された送信停止用ＳＩＲ平均値をＱｏｕｔカウンタ５に出力する。Ｑｉｎカウンタ４はパラメータ記憶部２から送られてきたＱｉｎカウンタ連続数とカウント値とを比較し、それらが一致した時に送信再開信号を送信制御部６に出力する。Ｑｏｕｔカウンタ５はパラメータ記憶部２から送られてきたＱｏｕｔカウンタ連続数とカウント値とを比較し、それらが一致した時に送信停止信号を送信制御部６に出力する。【選択図】      図１                                                  
2005086587.tif 000002
【特許請求の範囲】
【請求項１】
携帯端末においてＤＰＣＣＨ／ＤＰＤＣＨ（Ｄｅｄｉｃａｔｅｄ  Ｐｈｙｓｉｃａｌ  Ｃｏｎｔｒｏｌ  Ｃｈａｎｎｅｌ）／ＤＰＤＣＨ（Ｄｅｄｉｃａｔｅｄ  Ｐｈｙｓｉｃａｌ  Ｄａｔａ  Ｃｈａｎｎｅｌ）同期判定を行う同期判定回路であって、フレーム毎にＳＩＲ（Ｓｉｇｎａｌ  ｔｏ  Ｉｎｔｅｒｆｅｒｅｎｃｅ  ｐｏｗｅｒ  Ｒａｔｉｏ）を測定する測定手段と、前記測定手段の測定値をパラメータ設定したフレーム数分移動平均する平均手段と、前記平均手段で移動平均化されたＳＩＲ平均値が同期判定の閾値条件を満たすフレーム数を計数する計数手段とを有し、
前記計数手段はその計数値が平均化するフレーム数に合わせてパラメータ設定されるフレーム数と一致した時に同期及び非同期のいずれかを判定する同期判定の結果に応じて前記携帯端末の送信制御を行うことを特徴とする同期判定回路。
【請求項２】
前記ＳＩＲ平均値が予め設定されたフレーム数分連続で前記同期判定の閾値条件を満たした時、前記バラメータ設定されたフレーム前のＳＩＲ測定値に対して前記同期判定の閾値との比較を行い、条件を満たした時のみ前記携帯端末の送信制御を行うことを特徴とする請求項１記載の同期判定回路。
【請求項３】
前記ＳＩＲ平均値が設定されたフレーム数分連続で前記同期判定の閾値条件を満たした時、前記パラメータ設定されたフレーム前のＳＩＲ平均値に対して前記同期判定の閾値との比較を行い、条件を満たした時のみ前記携帯端末の送信制御を行うことを特徴とする請求項１記載の同期判定回路。
【請求項４】
前記同期判定の閾値を満たすフレーム数を計数中、前記ＳＩＲ測定値が単数または複数フレーム間連続でパラメータ設定された閾値を超えた場合に前記同期判定の閾値を満たすフレーム数の計数を停止すると同時にその値を０クリアし、その後に前記ＳＩＲ測定値が前記同期判定の閾値条件を満たした時に計数の再開を行うことを特徴とする請求項１から請求項３のいずれか記載の同期判定回路。
【請求項５】
前記同期判定の閾値を満たすフレーム数を計数中、前記ＳＩＲ平均値が単数または複数フレーム間連続でパラメータ設定された閾値を超えた場合に前記同期判定の閾値を満たすフレーム数の計数を停止すると同時にその値を０クリアし、その後に前記ＳＩＲ測定値が前記同期判定の閾値条件を満たした時に計数の再開を行うことを特徴とする請求項１から請求項３記載の同期判定回路。
【請求項６】
前記同期判定の閾値を満たすフレーム数を計数中、連続する前記ＳＩＲ測定値のレベル差がパラメータ設定された閾値を超えた場合に前記同期判定の閾値を満たすフレーム数の計数を停止すると同時にその値を０クリアし、その後に前記ＳＩＲ測定値が前記同期判定の閾値条件を満たした時に計数の再開を行うことを特徴とする請求項１から請求項３記載の同期判定回路。
【請求項７】
前記同期判定の閾値を満たすフレーム数を計数中、前記ＳＩＲ測定値が単数または複数フレーム間連続でパラメータ設定された閾値を超えた場合に前記同期判定の閾値を満たすフレーム数の計数を停止すると同時にその値を０クリアし、その後に前記ＳＩＲ測定値が前記同期判定の閾値条件を満たした時に計数の再開を行い、
前記同期判定の閾値を満たすフレーム数の計数を停止すると同時にその値を０クリアした時からパラメータで設定された期間、前記パラメータ設定されたフレーム前のＳＩＲ測定値に対して前記同期判定の閾値との比較結果によらず前記携帯端末の送信制御を行わないことを特徴とする請求項２記載の同期判定回路。
【請求項８】
前記同期判定の閾値を満たすフレーム数を計数中、前記ＳＩＲ平均値が単数または複数フレーム間連続でパラメータ設定された閾値を超えた場合に前記同期判定の閾値を満たすフレーム数の計数を停止すると同時にその値を０クリアし、その後に前記ＳＩＲ測定値が前記同期判定の閾値条件を満たした時に計数の再開を行い、
前記同期判定の閾値を満たすフレーム数の計数を停止すると同時にその値を０クリアした時からパラメータで設定された期間、前記パラメータ設定されたフレーム前のＳＩＲ測定値に対して前記同期判定の閾値との比較結果によらず前記携帯端末の送信制御を行わないことを特徴とする請求項２記載の同期判定回路。
【請求項９】
前記同期判定の閾値を満たすフレーム数を計数中、連続する前記ＳＩＲ測定値のレベル差がパラメータ設定された閾値を超えた場合に前記同期判定の閾値を満たすフレーム数の計数を停止すると同時にその値を０クリアし、その後に前記ＳＩＲ測定値が前記同期判定の閾値条件を満たした時に計数の再開を行い、
前記同期判定の閾値を満たすフレーム数の計数を停止すると同時にその値を０クリアした時からパラメータで設定された期間、前記パラメータ設定されたフレーム前のＳＩＲ測定値に対して前記同期判定の閾値との比較結果によらず前記携帯端末の送信制御を行わないことを特徴とする請求項２記載の同期判定回路。
【請求項１０】
前記同期判定の閾値を満たすフレーム数を計数中、前記ＳＩＲ測定値が単数または複数フレーム間連続でパラメータ設定された閾値を超えた場合に前記同期判定の閾値を満たすフレーム数の計数を停止すると同時にその値を０クリアし、その後に前記ＳＩＲ測定値が前記同期判定の閾値条件を満たした時に計数の再開を行い、
前記同期判定の閾値を満たすフレーム数の計数を停止すると同時にその値を０クリアした時からパラメータで設定された期間、前記パラメータ設定されたフレーム前のＳＩＲ平均値に対して前記同期判定の閾値との比較結果によらず前記携帯端末の送信制御を行わないことを特徴とする請求項３記載の同期判定回路。
【請求項１１】
前記同期判定の閾値を満たすフレーム数を計数中、前記ＳＩＲ平均値が単数または複数フレーム間連続でパラメータ設定された閾値を超えた場合に前記同期判定の閾値を満たすフレーム数の計数を停止すると同時にその値を０クリアし、その後に前記ＳＩＲ測定値が前記同期判定の閾値条件を満たした時に計数の再開を行い、
前記同期判定の閾値を満たすフレーム数の計数を停止すると同時にその値を０クリアした時からパラメータで設定された期間、前記パラメータ設定されたフレーム前のＳＩＲ平均値に対して前記同期判定の閾値との比較結果によらず前記携帯端末の送信制御を行わないことを特徴とする請求項３記載の同期判定回路。
【請求項１２】
前記同期判定の閾値を満たすフレーム数を計数中、連続する前記ＳＩＲ測定値のレベル差がパラメータ設定された閾値を超えた場合に前記同期判定の閾値を満たすフレーム数の計数を停止すると同時にその値を０クリアし、その後に前記ＳＩＲ測定値が前記同期判定の閾値条件を満たした時に計数の再開を行い、
前記同期判定の閾値を満たすフレーム数の計数を停止すると同時にその値を０クリアした時からパラメータで設定された期間、前記パラメータ設定されたフレーム前のＳＩＲ平均値に対して前記同期判定の閾値との比較結果によらず前記携帯端末の送信制御を行わないことを特徴とする請求項３記載の同期判定回路。
【発明の詳細な説明】
【技術分野】
【０００１】
本発明は同期判定回路に関し、特にＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）携帯端末においてＤＰＣＣＨ（Ｄｅｄｉｃａｔｅｄ  Ｐｈｙｓｉｃａｌ  Ｃｏｎｔｒｏｌ  Ｃｈａｎｎｅｌ：個別物理制御チャネル）／ＤＰＤＣＨ（Ｄｅｄｉｃａｔｅｄ  Ｐｈｙｓｉｃａｌ  Ｄａｔａ  Ｃｈａｎｎｅｌ：個別物理データチャネル）による同期判定を行う同期判定回路に関する。
【背景技術】
【０００２】
従来、携帯端末においては、通話中において、ＤＰＣＣＨ／ＤＰＤＣＨの品質が規定より劣化した場合に同期が外れたとして送信を停止している。また、携帯端末においては、送信停止中において、ＤＰＣＣＨ／ＤＰＤＣＨの品質が規定より良好となった場合に再同期したとして送信を再開している。
【０００３】
同期はずれによる送信停止の制御は次の通りである。携帯端末の受信端におけるＩｏｒ／Ｉｏｃ＝−１ｄＢの場合において、ＤＰＣＣＨ＿Ｅｃ／Ｉｏｒを毎フレーム測定する。測定されたＤＰＣＣＨ＿Ｅｃ／Ｉｏｒが１６０ｍｓ間、Ｑｏｕｔと呼ばれる基準値を下回った場合、携帯端末は同期がはずれたと判断し、送信を停止する。また、同期はずれによる送信停止中に、測定されたＤＰＣＣＨ＿Ｅｃ／Ｉｏｒが１６０ｍｓ間、Ｑｉｎと呼ばれる基準値を上回った場合、携帯端末は再同期したと判断し、送信を再開する。
【０００４】
携帯端末が同期判定を行う場合、ＤＰＣＣＨ／Ｅｃ／Ｉｏｒではなく、毎フレーム測定されるＳＩＲ（Ｓｉｇｎａｌ  ｔｏ  Ｉｎｔｅｒｆｅｒｅｎｃｅ  ｐｏｗｅｒ  Ｒａｔｉｏ）を用いる方法がある。この時のＱｉｎ及びＱｏｕｔ値は、ＤＰＣＣＨ＿Ｅｃ／Ｉｏｒで規定された値をＳＩＲに換算したものを用いる。
【０００５】
以下、Ｑｉｎ及びＱｏｕｔ値はＳＩＲに換算された値を指し、同期判定は、ＳＩＲ値とこのＱｉｎ及びＱｏｕｔ値との比較で行われるものとする。また、１６０ｍｓ間というのは、１６フレーム連続と置き換えることができる。つまり、送信停止、再開の制御は次の通りとなる。
【０００６】
測定されたＳＩＲが１６フレーム連続でＱｏｕｔ値と呼ばれる基準値を下回った場合、携帯端末は同期がはずれたと判断し、送信を停止する。また、同期はずれによる送信停止中に、測定されたＳＩＲが１６フレーム連続でＱｉｎ値と呼ばれる基準値を上回った場合、携帯端末は再同期したと判断し、送信を再開する。
【０００７】
ＳＩＲ値を用いて同期判定を行う場合、毎フレーム測定して報告されるＳＩＲ値はある値を中心としたばらつきを持ち、移動中や通信状況の悪いところでは、ＳＩＲ値のばらつきが大きくなる傾向がある。
【０００８】
Ｗ−ＣＤＭＡ携帯端末の仕様では、測定されたＳＩＲ値が１６フレーム連続で呼接続を維持しなければならない最小ＳＩＲ値（Ｑｏｕｔ）を下回った場合、携帯端末は同期がはずれたと判断し、送信を停止する。また、同期はずれによる送信停止中に、測定されたＳＩＲ値が１６フレーム連続で呼接続を行わなければならないＳＩＲ値（Ｑｉｎ）を上回った場合、携帯端末は再同期したと判断し、送信を再開する。
【０００９】
従来の方法では、送信停止の制御において、本来ならば１６フレーム連続でＱｏｕｔ値より測定ＳＩＲ値が下回るべき環境であっても、測定ＳＩＲ値のばらつきが大きいことによってＱｏｕｔ値を超えるＳＩＲ値が報告されることがあるため、送信停止とならない場合が生じる。同様に、送信再開の制御において、本来ならば１６フレーム連続でＱｉｎ値より測定ＳＩＲ値が上回る場合であっても、測定ＳＩＲ値のばらつきが大きいとＱｉｎ値を下回るＳＩＲ値が報告されることがあるため、送信再開とならない場合が生じる。
【００１０】
【非特許文献１】「Ｗ−ＣＤＭＡ移動通信方式」（立川敬二監修、丸善株式会社刊、２００１年６月２５日発行、９４，９５，９９〜１１３頁）
【発明の開示】
【発明が解決しようとする課題】
【００１１】
上述した従来の同期判定方法では、送信停止の制御において、本来ならば１６フレーム連続でＱｏｕｔ値より測定ＳＩＲ値が下回る場合であっても、測定ＳＩＲ値のばらつきが大きいと、Ｑｏｕｔ値を超えるＳＩＲ値が報告されることがあるため、送信停止とならない場合が生じる。同様に、送信再開の制御において、本来ならば１６フレーム連続でＱｉｎ値より測定ＳＩＲ値が上回る場合であっても、測定ＳＩＲ値のばらつきが大きいと、Ｑｉｎ値を下回るＳＩＲ値が報告されることがあるため、送信再開とならない場合が生じる。
【００１２】
そこで、本発明の目的は上記の問題点を解消し、測定ＳＩＲ値のばらつきがある場合において、ＳＩＲ値のばらつきの影響を軽減して同期判定を行うことができる同期判定回路を提供することにある。
【課題を解決するための手段】
【００１３】
本発明による同期判定回路は、携帯端末においてＤＰＣＣＨ／ＤＰＤＣＨ（Ｄｅｄｉｃａｔｅｄ  Ｐｈｙｓｉｃａｌ  Ｃｏｎｔｒｏｌ  Ｃｈａｎｎｅｌ）／ＤＰＤＣＨ（Ｄｅｄｉｃａｔｅｄ  Ｐｈｙｓｉｃａｌ  Ｄａｔａ  Ｃｈａｎｎｅｌ）同期判定を行う同期判定回路であって、フレーム毎にＳＩＲ（Ｓｉｇｎａｌ  ｔｏ  Ｉｎｔｅｒｆｅｒｅｎｃｅ  ｐｏｗｅｒ  Ｒａｔｉｏ）を測定する測定手段と、前記測定手段の測定値をパラメータ設定したフレーム数分移動平均する平均手段と、前記平均手段で移動平均化されたＳＩＲ平均値が同期判定の閾値条件を満たすフレーム数を計数する計数手段とを備え、
【００１４】
前記計数手段はその計数値が平均化するフレーム数に合わせてパラメータ設定されるフレーム数と一致した時に同期及び非同期のいずれかを判定する同期判定の結果に応じて前記携帯端末の送信制御を行っている。
【００１５】
すなわち、本発明の同期判定回路は、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）携帯端末のＤＰＣＣＨ（Ｄｅｄｉｃａｔｅｄ  Ｐｈｙｓｉｃａｌ  Ｃｏｎｔｒｏｌ  Ｃｈａｎｎｅｌ：個別物理制御チャネル）／ＤＰＤＣＨ（Ｄｅｄｉｃａｔｅｄ  Ｐｈｙｓｉｃａｌ  Ｄａｔａ  Ｃｈａｎｎｅｌ：個別物理データチャネル）同期判定において、測定されるＳＩＲ（Ｓｉｇｎａｌ  ｔｏ  Ｉｎｔｅｒｆｅｒｅｎｃｅ  ｐｏｗｅｒ  Ｒａｔｉｏ）値の分散が大きい場合に分散を小さくすることによって、ＤＰＣＣＨ／ＤＰＤＣＨ同期判定を行いやすくすることを特徴としている。
【００１６】
本発明の同期判定回路では、外部から設定可能な値［送信再開用ＳＩＲ平均化数（Ｍｉｎ）、送信停止用ＳＩＲ平均化数（Ｍｏｕｔ）、Ｑｉｎカウンタ連続数（Ｎｉｎ）、Ｑｏｕｔカウンタ連続数（Ｎｏｕｔ）］を用いて、ＳＩＲ値をＭｏｕｔフレーム移動平均した値が、Ｎｏｕｔフレーム連続でＱｏｕｔ値を下回った場合に同期がはずれたと判断して送信を停止し、Ｎｉｎフレーム連続でＱｉｎ値を上回った場合に再同期したと判断し、送信を再開している。
【００１７】
これによって、本発明の同期判定回路では、測定ＳＩＲ値を平均することによって、同期判定に用いるＳＩＲ値のばらつきを小さくし、平均を行うフレーム数とＱｉｎ、Ｑｏｕｔの条件を満たすＳＩＲの平均値が連続で発生する回数をパラメータとして設定することによって、測定ＳＩＲ値にばらつきがある場合においても安定した同期判定と送信制御とを行うことが可能となる。
【発明の効果】
【００１８】
本発明は、以下に述べるような構成及び動作とすることで、測定ＳＩＲ値にばらつきがある場合においても安定した同期判定と送信制御とを行うことができるという効果が得られる。
【発明を実施するための最良の形態】
【００１９】
次に、本発明の実施例について図面を参照して説明する。図１は本発明の第１の実施例による同期判定回路の構成を示すブロック図である。図１において、本発明の第１の実施例による同期判定回路はＳＩＲ（Ｓｉｇｎａｌ  ｔｏ  Ｉｎｔｅｒｆｅｒｅｎｃｅ  ｐｏｗｅｒ  Ｒａｔｉｏ）測定部１と、パラメータ記憶部２と、ＳＩＲ平均部３と、Ｑｉｎカウンタ４と、Ｑｏｕｔカウンタ５と、送信制御部６とから構成されている。
【００２０】
ＳＩＲ測定部１で測定されたＳＩＲ測定値１１はＳＩＲ平均部３に送られる。ＳＩＲ平均部３はパラメータ記憶部２からの送信再開用ＳＩＲ平均化数（Ｍｉｎ）１２で指定されたＭｉｎフレーム分平均された送信再開用ＳＩＲ平均値（ＳＩＲｉｎ）１６をＱｉｎカウンタ４に出力し、パラメータ記憶部２からの送信停止用ＳＩＲ平均化数（Ｍｏｕｔ）１３で指定されたＭｏｕｔフレーム分平均された送信停止用ＳＩＲ平均値（ＳＩＲｏｕｔ）１７をＱｏｕｔカウンタ５に出力する。
【００２１】
ここで、パラメータ記憶部２にはＳＩＲ平均部３で移動平均をとる時の平均フレーム数である送信再開用ＳＩＲ平均化数（Ｍｉｎ）１２及び送信停止用ＳＩＲ平均化数（Ｍｏｕｔ）１３と、Ｑｉｎカウンタ４のカウント値と比較を行うためのパラメータであるＱｉｎカウンタ連続数（Ｎｉｎ）１４と、Ｑｏｕｔカウンタ５のカウント値と比較を行うためのパラメータであるＱｏｕｔカウンタ連続数（Ｎｏｕｔ）１５とが記憶されている。
【００２２】
送信再開用ＳＩＲ平均値（ＳＩＲｉｎ）１６は、最新のＳＩＲ測定値１１を含んだ直前Ｍｉｎフレーム分のＳＩＲ値の平均値であり、ＳＩＲ測定値１１がＳＩＲ平均部３に入力される度に再計算されて出力される。同様に、送信再開用ＳＩＲ平均値（ＳＩＲｏｕｔ）１７は、最新のＳＩＲ測定値１１を含んだ直前Ｍｏｕｔフレーム分のＳＩＲ値の平均値であり、ＳＩＲ測定値１１がＳＩＲ平均部３に入力される度に再計算されて出力される。
【００２３】
Ｑｉｎカウンタ４では送信再開用ＳＩＲ平均値（ＳＩＲｉｎ）１６と自カウンタ内で保持しているＱｉｎ値とを比較し、送信再開用ＳＩＲ平均値（ＳＩＲｉｎ）＞Ｑｉｎであれば、自カウンタのカウント値（Ｃｉｎ）を１インクリメントし、送信再開用ＳＩＲ平均値（ＳＩＲｉｎ）＝Ｑｉｎまたは送信再開用ＳＩＲ平均値（ＳＩＲｉｎ）＜Ｑｉｎであれば、カウント値（Ｃｉｎ）＝０にする。Ｑｉｎカウンタ４はパラメータ記憶部２から送られてきたＱｉｎカウンタ連続数（Ｎｉｎ）１４とカウント値（Ｃｉｎ）とを比較し、カウント値（Ｃｉｎ）＝Ｑｉｎカウンタ連続数（Ｎｉｎ）となった時に送信再開信号１８を送信制御部６に出力する。
【００２４】
Ｑｏｕｔカウンタ５では送信停止用ＳＩＲ平均値（ＳＩＲｏｕｔ）１７と自カウンタ内で保持しているＱｏｕｔ値とを比較し、送信停止用ＳＩＲ平均値（ＳＩＲｏｕｔ）＜Ｑｏｕｔであれば、Ｑｏｕｔカウンタ５のカウント値（Ｃｏｕｔ）を１インクリメントし、送信停止用ＳＩＲ平均値（ＳＩＲｏｕｔ）＝Ｑｏｕｔまたは送信停止用ＳＩＲ平均値（ＳＩＲｏｕｔ）＞Ｑｏｕｔであれば、カウント値（Ｃｏｕｔ）＝０にする。Ｑｏｕｔカウンタ５はパラメータ記憶部２から送られてきたＱｏｕｔカウンタ連続数（Ｎｏｕｔ）１５とカウント値（Ｃｏｕｔ）とを比較し、カウント値（Ｃｏｕｔ）＝Ｑｏｕｔカウンタ連続数（Ｎｏｕｔ）となった時に送信停止信号１９を送信制御部６に出力する。
【００２５】
送信制御部６は送信中にＱｏｕｔカウンタ５から送信停止信号１９が送られてきた時に送信を停止するように送信機制御信号２０を出力し、送信停止中にＱｉｎカウンタ４から送信再開信号１８が送られてきた時に送信を再開するように送信機制御信号２０を出力する。また、送信制御部６は送信中に送信再開信号１８が送られてきた時に送信状態を継続するように送信機制御信号２０を出力し、送信停止中に送信停止信号１９が送られてきた時に送信停止状態を継続するように送信機制御信号２０を出力する。
【００２６】
従来の同期判定回路は、図９に示すように、パラメータ記憶部２及びＳＩＲ平均部３を備えておらず、Ｑｉｎカウンタ８及びＱｏｕｔカウンタ９への入力としては、送信再開用ＳＩＲ平均値（ＳＩＲｉｎ）１６及び送信停止用ＳＩＲ平均値（ＳＩＲｏｕｔ）１７ではなく、ＳＩＲ測定部７からのＳＩＲ測定値３１が直接入力されている。また、Ｑｉｎカウンタ連続数及びＱｏｕｔカウンタ連続数は、外部からのパラメータではなく、Ｑｉｎカウンタ８及びＱｏｕｔカウンタ９が内部に保持しており、Ｑｉｎカウンタ連続数（Ｎｉｎ）＝Ｑｏｕｔカウンタ連続数（Ｎｏｕｔ）＝１６である。
【００２７】
Ｑｉｎカウンタ８からは送信再開信号３２が送信制御部１０に送られ、Ｑｏｕｔカウンタ９からは送信停止信号３３が送信制御部１０に送られるので、送信制御部１０はこれらの信号を基に送信機制御信号３４を出力する。
【００２８】
図２は図１のＳＩＲ平均部３及びＱｏｕｔカウンタ５の動作を示す図である。図２の上側の曲線は時刻に対するＳＩＲ測定値の変化である。時刻０付近で通信状況が悪くなったことによって、それまでＳＩＲ測定値が２点破線で表されたＱｏｕｔよりも高い値で推移していたものが、Ｑｏｕｔよりも低い値で推移するようになったと仮定する。
【００２９】
時刻０以降の通信状況が悪いところにおけるＳＩＲ測定値は、大きな分散を持つため、点ＡのようにＱｏｕｔ値を上回る点が生じることがある。曲線の直下にある六角形はＳＩＲ測定部１の出力であるＳＩＲ測定値１１を表したものである。ＳＩＲ測定値１１はフレーム毎に出力されるため、時刻０から１６０ｍｓの間には１６個のＳＩＲ値（網掛けで表示）が出力される。
【００３０】
このうち時刻０から数えて１５番目のＳＩＲ測定値は、点Ａのデータを反映しているため、Ｑｏｕｔ値よりも高くなっている。ＳＩＲ測定値１１の下にある八角形の列及びその下にある四角形は、ＳＩＲ平均部３における平均化するＳＩＲ測定値と出力である送信停止用ＳＩＲ平均値（ＳＩＲｏｕｔ）１７とを表したものである。
【００３１】
図２では送信停止用ＳＩＲ平均数（Ｍｏｕｔ）１３の値は「８」としている。送信停止用ＳＩＲ平均値（ＳＩＲｏｕｔ）１７は出力される時刻を含めた８フレームのＳＩＲ測定値１１の平均値であり、フレーム毎に平均化するＳＩＲ値をずらして出力している。平均化されるＳＩＲ測定値１１がすべて時刻０以降のものとなる送信停止用ＳＩＲ平均値（ＳＩＲｏｕｔ）１７は、時刻０から数えてＭｏｕｔ番目の網掛けされたデータからとなる。
【００３２】
図２の上側の点線はＳＩＲ測定値をＭｏｕｔフレーム分平均化したＳＩＲ平均値の変化を表している。このＳＩＲ平均値がＱｏｕｔ値を下回るのは、ＳＩＲの平均化のため、送信停止用ＳＩＲ平均値（ＳＩＲｏｕｔ）１７が網掛けになる時刻Ｂ以降となる。また、時刻Ｂ以降、ＳＩＲ平均値は常にＱｏｕｔ値を下回り、ＳＩＲ測定値で見られたばらつきは小さくなる。
【００３３】
Ｑｏｕｔカウンタ５では送信停止用ＳＩＲ平均値（ＳＩＲｏｕｔ）１７と自カウンタ内で保持しているＱｏｕｔとを比較し、送信停止用ＳＩＲ平均値（ＳＩＲｏｕｔ）＜Ｑｏｕｔとなれば、Ｑｏｕｔカウンタ５のカウント値（Ｃｏｕｔ）をインクリメントする。図２の送信停止用ＳＩＲ平均値（ＳＩＲｏｕｔ）１７の四角形の下に記載されている丸はＱｏｕｔカウンタ５のカウント値（Ｃｏｕｔ）の変化を表し、丸中の数字はカウント値（Ｃｏｕｔ）を表している。カウント値（Ｃｏｕｔ）＝Ｑｏｕｔカウンタ連続数（Ｎｏｕｔ）［図２では、Ｑｏｕｔカウンタ連続数（Ｎｏｕｔ）＝９としている］になると、Ｑｏｕｔカウンタ５は送信停止信号１９を変化させる。
【００３４】
ＳＩＲ測定値がＱｏｕｔより小さくなってから１６フレーム後に送信停止信号１９を変化させるには、送信停止用ＳＩＲ平均化数（Ｍｏｕｔ）＋Ｑｏｕｔカウンタ連続数（Ｎｏｕｔ）＝１７となるように設定すればよく、送信停止用ＳＩＲ平均化数（Ｍｏｕｔ）１３が大きくなるほど送信停止用ＳＩＲ平均値（ＳＩＲｏｕｔ）１７の値のばらつきがなくなり、安定した同期判定動作ができるようになる。
【００３５】
図２の最下段のＱｏｕｔカウンタ５からの送信停止信号１９は、従来の方法における動作を表している。時刻０になると、ＳＩＲ測定値１１がＱｏｕｔより小さくなるため、カウント値（Ｃｏｕｔ）がインクリメントされるが、点ＡにおけるＳＩＲ測定値１１はＱｏｕｔ以上であるため、カウント値（Ｃｏｕｔ）＝０となる。このため、時刻０から１６フレーム後におけるカウント値（Ｃｏｕｔ）の値は１であり、送信停止信号１９が変化しないため、送信を停止することができなくなっているのがわかる。
【００３６】
図２では、送信停止の動作について述べたが、送信再開の場合についても、Ｑｏｕｔカウンタ５をＱｉｎカウンタ４に、送信停止用ＳＩＲ平均化数（Ｍｏｕｔ）１３を送信再開用ＳＩＲ平均化数（Ｍｉｎ）１２に、Ｑｏｕｔカウンタ連続数（Ｎｏｕｔ）１５をＱｉｎカウンタ連続数（Ｎｉｎ）１４に、送信停止信号１９を送信再開信号１８に、Ｑｏｕｔカウンタ５のカウント値（Ｃｏｕｔ）をＱｉｎカウンタ４のカウント値（Ｃｉｎ）に、ＱｏｕｔをＱｉｎに、判定式「Ｑｏｕｔ＜カウント値（Ｃｏｕｔ）」を判定式「Ｑｉｎ＞カウント値（Ｃｉｎ）」にそれぞれ置き換えることによって、上記と同様に、説明することができる。
【００３７】
このように、本発明では、測定ＳＩＲ値をＳＩＲ平均部３で平均することによって、同期判定に用いるＳＩＲ値のばらつきを小さくし、平均を行うフレーム数とＱｉｎ，Ｑｏｕｔとの条件を満たすＳＩＲの平均値が連続で発生する回数をパラメータとして設定することによって、測定ＳＩＲ値にばらつきがある場合においても安定した同期判定と送信制御とを行うことができる。
【００３８】
図３は本発明の第２の実施例による同期判定回路の構成を示すブロック図である。図３において、本発明の第２の実施例はＳＩＲ測定値１１をＳＩＲ平均部３のほかにＱｉｎカウンタ４及びＱｏｕｔカウンタ５に入力させている以外は図１に示す本発明の第１の実施例による同期判定回路と同様の構成となっており、同一構成要素には同一符号を付してある。
【００３９】
本実施例による同期はずれの判定による送信停止の場合の動作について説明する。Ｑｏｕｔカウンタ５のカウント値（Ｃｏｕｔ）がＱｏｕｔカウンタ連続数（Ｎｏｕｔ）以上になった時、現在のフレームのＬｏｕｔ（Ｌｏｕｔはパラメータであり、Ｑｏｕｔカウンタ５の内部に持つことも、パラメータ記憶部２に設定することも可能である）フレーム前のＳＩＲ測定値１１の値とＱｏｕｔ値とを比較する。この時、Ｑｏｕｔカウンタ５はＬｏｕｔフレーム前のＳＩＲ測定値１１がＱｏｕｔ値より小さい場合にのみ送信停止信号１９を変化させるようにする。
【００４０】
図４は本発明の第２の実施例の動作を示す図である。図４では、図２と同様に、送信停止用ＳＩＲ平均化数（Ｍｏｕｔ）＝８、Ｑｏｕｔカウンタ連続数（Ｎｏｕｔ）＝９であり、Ｌｏｕｔ＝１５としている。図４のＳＩＲ平均値の点線を見ると、点ＢからＱｏｕｔの二点破線を下回っており、Ｑｏｕｔカウンタ５はカウントアップを開始している。
【００４１】
図１に示す本発明の第１の実施例では、カウント値（Ｃｏｕｔ）＝Ｑｏｕｔカウンタ連続数（Ｎｏｕｔ）＝９で送信停止信号１９が変化するため、ＳＩＲ測定値１１がＱｏｕｔを下回ってから１６０ｍｓ経過する前に送信停止されることになる。しかしながら、本実施例では、カウント値（Ｃｏｕｔ）＝９の時、Ｌｏｕｔフレーム前のＳＩＲ測定値１１とＱｏｕｔとを比較し、ＳＩＲ測定値１１＞Ｑｏｕｔであるため、送信停止信号１９を変化させない。
【００４２】
引き続き、カウント値（Ｃｏｕｔ）＝１０［送信停止用ＳＩＲ平均値（ＳＩＲｏｕｔ）１７が黒塗りの四角形］の時に、Ｌｏｕｔフレーム前のＳＩＲ測定値１１（黒塗りの六角形）とＱｏｕｔ値とを比較し、ＳＩＲ測定値１１＜Ｑｏｕｔであるから送信停止信号１９を出力する。
【００４３】
本発明の第１の実施例において、通信状況が劣化してから１６０ｍｓより早く送信停止される場合があるという問題を本実施例では改善している［図４の（ａ），（ｂ）参照］。送信再開の制御については、Ｑｏｕｔ、カウント値（Ｃｏｕｔ）、Ｑｏｕｔカウンタ連続数（Ｎｏｕｔ）及びＬｏｕｔをそれぞれ、Ｑｉｎ、カウント値（Ｃｉｎ）、Ｑｉｎカウンタ連続数（Ｎｉｎ）及びＬｉｎ（Ｌｉｎはカウント値（Ｃｉｎ）＝Ｑｉｎカウンタ連続数（Ｎｉｎ）となった時にＱｉｎ値と比較するＳＩＲ測定値１１までのフレーム数）に、送信停止ＳＩＲ平均値（ＳＩＲｏｕｔ）１７、送信停止信号１９を送信再開ＳＩＲ平均値（ＳＩＲｉｎ）１６、送信再開信号１８に、Ｑｏｕｔカウンタ５をＱｉｎカウンタ４に、ＳＩＲ測定値１１とＱｏｕｔとの判定式「ＳＩＲ測定値１１＞Ｑｏｕｔ」を判定式「ＳＩＲ測定値１１＜Ｑｉｎ」にそれぞれ置き換えることで、説明することができる。
【００４４】
本発明の第２の実施例の派生型として本発明の第３の実施例がある。本発明の第３の実施例は、実施例２において、Ｑｉｎカウンタ連続数（Ｎｉｎ）＝カウント値（Ｃｉｎ）［送信停止の場合はＱｏｕｔカウンタ連続数（Ｎｏｕｔ）＝カウント値（Ｃｏｕｔ）］となった時、現在のフレームからＬｉｎ（Ｌｏｕｔ）フレーム前のＳＩＲ測定値１１とＱｉｎ（Ｑｏｕｔ）とを比較するが、このＳＩＲ測定値１１のではなく、ＳＩＲ平均部３で平均化されたレベル確認用ＳＩＲ平均値（ＳＩＲｌｖ）２１を用いている。この時、用いるレベル確認用ＳＩＲ平均値（ＳＩＲｌｖ）２１の平均化数は、送信再開用ＳＩＲ平均化数（Ｍｉｎ），送信停止用ＳＩＲ平均化数（Ｍｏｕｔ）とは異なったパラメータで設定することができるようにする。
【００４５】
本実施例では、ＳＩＲの平均化数にあわせてＬｉｎ（Ｌｏｕｔ）を調整することによって、本発明の第２の実施例よりも、より安定した同期判定を行うことができる。
【００４６】
図５は本発明の第３の実施例による同期判定回路の構成を示すブロック図である。本発明の第３の実施例はＳＩＲ平均部３で出力されたレベル確認用ＳＩＲ平均値（ＳＩＲｌｖ）２１が、Ｑｉｎカウンタ４とＱｏｕｔカウンタ５とに送られている。
【００４７】
本発明の第１の実施例による同期判定回路の構成で送信停止判定をする場合において、平均ＳＩＲ測定値が図６に示す曲線のような変化をした場合、点Ｂのように、ＳＩＲ測定値がＱｏｕｔをばらつきの大きさより大きく上回っている区間においても、ＳＩＲ平均値が点線のようにＱｏｕｔを下回っているため、送信停止信号１９を変化させている。
【００４８】
この現象を回避するため、本発明の第４の実施例では、Ｑｏｕｔよりも高いレベルに閾値Ｒｏｕｔ（パラメータで設定する）を用意し、ＳＩＲ測定値１１がパラメータで設定された回数連続でＲｏｕｔを超えた時、Ｑｏｕｔカウンタ５のカウント値（Ｃｏｕｔ）を０とする。その後、Ｑｏｕｔカウンタ５ではＳＩＲ測定値１１がＱｏｕｔを下回ってからカウント値（Ｃｏｕｔ）のインクリメントを始める。
【００４９】
図６ではＳＩＲ測定値１１が２回連続でＲｏｕｔを超えた場合にカウント値（Ｃｏｕｔ）＝０としており、本実施例の結果では時刻１６０ｍｓにおいて送信停止信号１９を変化させないようにしている［図６の（ａ），（ｂ）参照］。本実施例の送信再開動作は、Ｑｏｕｔ、カウント値（Ｃｏｕｔ）をＱｉｎ、カウント値（Ｃｉｎ）に、Ｑｏｕｔカウンタ５をＱｉｎカウンタ４に置き換え、閾値Ｒｏｕｔの変わりにＱｉｎより低いレベルに閾値Ｒｉｎを設定した制御となる。
【００５０】
本実施例では、Ｑｉｎカウンタ４のカウント値（Ｃｉｎ）及びＱｏｕｔカウンタ５のカウント値（Ｃｏｕｔ）を０とするのに閾値Ｒｉｎ及び閾値Ｒｏｕｔを使用している。閾値Ｒｉｎ及び閾値Ｒｏｕｔの代わりにＱｉｎと閾値Ｒｉｎとの差分Ｄｉｎと、Ｑｏｕｔと閾値Ｒｏｕｔとの差分ＤｏｕｔとをＱｉｎ及びＱｏｕｔのオフセットとしてパラメータ設定する構成も考えられる。この構成の場合、ベアラによって閾値Ｒｉｎ及び閾値Ｒｏｕｔを複数用意することなく、各ベアラのＱｉｎ及びＱｏｕｔに対して同一のオフセットＤｉｎ及びオフセットＤｏｕｔを設定することができれば、パラメータの数を減らすことが可能となる。
【００５１】
本発明の第４の実施例を本発明の第３の実施例の構成で実現する本発明の第５の実施例が考えられる。本発明の第５の実施例では、閾値Ｒｉｎ及び閾値Ｒｏｕｔとの判定をＳＩＲ測定値１１ではなく、レベル確認用ＳＩＲ平均値（ＳＩＲｌｖ）２１を用いることになる。
【００５２】
レベル確認用ＳＩＲ平均値（ＳＩＲｌｖ）２１は平均化によってＳＩＲ測定値１１よりばらつきが小さくなるため、閾値Ｒｉｎ及び閾値Ｒｏｕｔによるカウンタ０クリア条件の連続発生数を１回にすることによって、連続発生数を設定するパラメータをなくすることができる。
【００５３】
本発明の第４の実施例及び本発明の第５の実施例では、与えられたオフセットＤｉｎ及びオフセットＤｏｕｔまたはＱｉｎ及びＱｏｕｔに対するオフセットレベルを超えた時に送信再開及び送信停止処理を行っているが、ＳＩＲ測定値１１のレベルそのものではなく、図７に示すような連続するＳＩＲ測定値１１の変化量δが設定された閾値を超えた場合に送信制御する構成をとる本発明の第６の実施例も考えられる［図７の（ａ），（ｂ）参照］。また、本発明の第６の実施例において、ＳＩＲ測定値１１の代わりにレベル確認用ＳＩＲ平均値（ＳＩＲｌｖ）２１の変化量をδとする構成も考えられる。
【００５４】
上述した本発明の第２の実施例または本発明の第３の実施例と、本発明の第４の実施例から本発明の第６の実施例６までの制御とを組み合わせる構成も考えられる。図８は一例として本発明の第２の実施例と本発明の第６の実施例とをあわせた回路の送信停止判定時の動作を表したものである。図８における各パラメータは、送信停止用ＳＩＲ平均化数（Ｍｏｕｔ）＝８、Ｑｏｕｔカウンタ連続数（Ｎｏｕｔ）＝９、Ｌｏｕｔ＝１５である。
【００５５】
この場合にはＳＩＲ測定値１１の変化量δを超えると、Ｑｏｕｔカウンタ５のカウント値（Ｃｏｕｔ）を０にする。時刻Ｂになると、本発明の第６の実施例ではＱｏｕｔカウンタ５のカウント値（Ｃｏｕｔ）＝Ｑｏｕｔカウンタ連続数（Ｎｏｕｔ）（＝９）でなるので、送信停止信号１９を変化させるが、本発明の第２の実施例と本発明の第６の実施例６とをあわせた回路はＬｏｕｔフレーム前のＳＩＲ測定値１１がＱｏｕｔより大きいので、送信停止信号１９を変化させずに、ＳＩＲ測定値１１がＱｏｕｔ値より小さくなる時刻Ｃで送信停止信号１９を変化させている。
【００５６】
この結果、本発明の第６の実施例のみと比べると、本発明の第２の実施例と本発明の第６の実施例とを組み合わせたほうが、Ｑｏｕｔカウンタ５をクリアしてから送信停止信号１９を変化させるまでの時間を長くすることができる。
【００５７】
本発明の第２の実施例と本発明の第６の実施例とをあわせた回路では、Ｑｏｕｔカウンタ５がカウント値（Ｃｏｕｔ）以上になったフレームのＬｏｕｔフレーム前というのは、Ｑｏｕｔカウンタ５をクリアする時刻より前となっている。このため、本発明の第２の実施例の機能であるＳＩＲ測定値１１がＱｏｕｔを下回ってから送信停止信号１９を変化させるまでの時間を（Ｌｏｕｔ＋１）フレームとする保証ができなくなっている。
【００５８】
これを回避するために、Ｑｏｕｔカウンタ５をクリアしてから（Ｌｏｕｔ−１）フレーム（＝１４フレーム）間をレベル判定禁止期間として、カウント値（Ｃｏｕｔ）がＱｏｕｔカウンタ連続数（Ｎｏｕｔ）以上で、Ｌｏｕｔフレーム前のＳＩＲ測定値１１がＱｏｕｔより小さくても送信停止信号１９を変化させない。この操作によって、送信停止信号１９を変化させる時刻におけるＬｏｕｔフレーム前のＳＩＲ測定信号１１が、Ｑｏｕｔカウンタ５をクリアする時刻より後のものを使用することができるようになり、Ｌｏｕｔ＝１５の設定では通信状況が再び悪化してから１６０ｍｓ後に送信停止信号１９が変化するようになる。
【００５９】
図８は送信停止の動作を表しているが、送信再開については、Ｑｉｎカウンタ４をクリアしてから（Ｌｉｎ−１）フレーム間をレベル判定禁止期間とすることになる。
【図面の簡単な説明】
【００６０】
【図１】本発明の第１の実施例による同期判定回路の構成を示すブロック図である。
【図２】図１のＳＩＲ平均部及びＱｏｕｔカウンタの動作を示す図である。
【図３】本発明の第２の実施例による同期判定回路の構成を示すブロック図である。
【図４】本発明の第２の実施例の動作を示す図である。
【図５】本発明の第３の実施例による同期判定回路の構成を示すブロック図である。
【図６】本発明の第４の実施例による同期判定回路の動作を示す図である。
【図７】本発明の第６の実施例による同期判定回路の動作を示す図である。
【図８】本発明の第２の実施例と本発明の第６の実施例とを組み合わせた同期判定回路の動作を示す図である。
【図９】従来例による同期判定回路の構成を示すブロック図である。
【符号の説明】
【００６１】
１  ＳＩＲ測定部
２  パラメータ記憶部
３  ＳＩＲ平均部
４  Ｑｉｎカウンタ
５  Ｑｏｕｔカウンタ
６  送信制御部
１１  ＳＩＲ測定値
１２  送信再開用ＳＩＲ平均化数（Ｍｉｎ）
１３  送信停止用ＳＩＲ平均化数（Ｍｏｕｔ）
１４  Ｑｉｎカウンタ連続数（Ｎｉｎ）
１５  Ｑｏｕｔカウンタ連続数（Ｎｏｕｔ）
１６  送信再開用ＳＩＲ平均値（ＳＩＲｉｎ）
１７  送信停止用ＳＩＲ平均値（ＳＩＲｏｕｔ）
１８  送信再開信号
１９  送信停止信号
２０  送信機制御信号
２１  レベル確認用ＳＩＲ平均値（ＳＩＲｌｖ）
【図１】
2005086587.tif 000003
【図２】
2005086587.tif 000004
【図３】
2005086587.tif 000005
【図４】
2005086587.tif 000006
【図５】
2005086587.tif 000007
【図６】
2005086587.tif 000008
【図７】
2005086587.tif 000009
【図８】
2005086587.tif 000010
【図９】
2005086587.tif 000011